(57)【特許請求の範囲】
【請求項１】
被走査体の潜像形成領域を含む走査範囲を光ビームで往復走査する光走査装置であって、
光ビームを発する光源と、
前記光源から発せられた光ビームを反射して前記走査範囲を走査するように走査運動する走査体と、
前記走査範囲の第１端部に配置され、光ビームを検出したときに検出信号を出力するＢＤセンサと、
前記走査範囲の第２端部に配置され、受けた光ビームを前記ＢＤセンサへ向けて反射する反射体と、
前記検出信号に基づいて前記走査運動を制御する制御部と
を備え、
前記反射体から前記ＢＤセンサへ向かう第１走査方向に前記ＢＤセンサが走査されるタイミングから前記ＢＤセンサから前記反射体へ向かう第２走査方向に前記ＢＤセンサが走査されるタイミングまでの第１時間間隔と、前記第２走査方向に前記反射体が走査されるタイミングから前記第１走査方向に前記反射体が走査されるタイミングまでの第２時間間隔とが相違するように構成され、
前記制御部は、前記光源が光ビームを発する発光タイミングの互いに異なる複数の発光パターンによる発光を順に前記光源に行わせ、検出信号が所定回数入力した発光パターンに、前記光源の発光タイミングを決定する、光走査装置。
【請求項２】
被走査体の潜像形成領域を含む走査範囲を光ビームで往復走査する光走査装置であって、
光ビームを発する光源と、
前記光源から発せられた光ビームを反射して前記走査範囲を走査するように走査運動する走査体と、
前記走査範囲の第１端部に配置され、光ビームを検出したときに検出信号を出力するＢＤセンサと、
前記走査範囲の第２端部に配置され、受けた光ビームを前記ＢＤセンサへ向けて反射する反射体と、
前記検出信号に基づいて前記走査運動を制御する制御部と
を備え、
前記反射体から前記ＢＤセンサへ向かう第１走査方向に前記ＢＤセンサが走査されるタイミングから前記ＢＤセンサから前記反射体へ向かう第２走査方向に前記ＢＤセンサが走査されるタイミングまでの第１時間間隔と、前記第２走査方向に前記反射体が走査されるタイミングから前記第１走査方向に前記反射体が走査されるタイミングまでの第２時間間隔とが相違するように構成され、
前記制御部は、前記光源が光ビームを発する発光タイミングの互いに異なる複数の発光パターンによる発光を順に前記光源に行わせ、前記複数の発光パターンに対する前記ＢＤセンサの検出結果に基づいて前記走査体の走査方向を識別する、光走査装置。
【請求項３】
前記ＢＤセンサと前記反射体とは、前記走査範囲の中心に対して非対称に配置される、請求項１又は２に記載の光走査装置。
【請求項４】
前記制御部は、前記光源を継続的に発光させ、検出信号が入力した時間間隔が前記第１時間間隔に等しい場合は、この時間間隔が、第１走査方向に前記ＢＤセンサが走査されたタイミングから第２走査方向に前記ＢＤセンサが走査されたタイミングまでの時間間隔であると識別し、検出信号が入力した時間間隔が第２時間間隔に等しい場合は、この時間間隔が、第２走査方向に前記反射体が走査されたタイミングから第１走査方向に前記反射体が走査されたタイミングまでの時間間隔であると識別する、請求項１〜３のいずれかに記載の光走査装置。
【請求項５】
被走査体と、
請求項１〜４のいずれかに記載の光走査装置と
を備える、画像形成装置。
【発明の詳細な説明】
【技術分野】
【０００１】
この発明は、被走査体を光ビームで往復走査する光走査装置及びこれを備える画像形成装置に関する。
【背景技術】
【０００２】
複写機、プリンタ、ファクシミリ、及びこれらの複合機といった画像形成装置に備えられる光走査装置の中には、感光体ドラムなどの被走査体を往復走査するものがある。光走査装置では、光源から発せられた光ビームが、走査運動する走査体に反射されることで、被走査体が往復走査される。このような光走査装置では、周囲の温度変化などによって走査体の走査運動の速度が変化してしまうことがある。走査運動の速度が変化すると、潜像の書き込み位置にずれが生じるという問題がある。
【０００３】
このため、走査範囲の両端部にＢＤ（Beam Detect）センサを備え、ＢＤセンサが光ビームを検出したタイミングに基づいて、走査体の走査運動を制御する技術が知られている。
【０００４】
また、低コスト化を図るために、２個のＢＤセンサのうち１個をミラー等の反射体で代用し、光ビームが反射体を経由せずにＢＤセンサに入射するタイミング、及び反射体で反射された光ビームがＢＤセンサに入射するタイミングに基づいて、走査体の走査運動を制御する技術も知られている。このような一方のＢＤセンサが反射体で代用された光走査装置では、反射体を経由せずにＢＤセンサに入射した光ビームの検出信号と、反射体で反射されてＢＤセンサに入射した光ビームの検出信号とを識別することが必要であり、この識別をすることで、往復走査が可能となる。
【０００５】
さらに、近年は、光走査装置を小型化、コストダウン、消費電力・発熱・騒音の低減化、並びに１枚目の画像形成の所要時間を短縮化するために、走査体の駆動装置としてＭＥＭＳ（Micro Electro Mechanical System）を用いたものが知られている（例えば、特許文献１参照。）。この従来の光走査装置は、電磁形であり、ＭＥＭＳは、１つの巻線に対して双方向に電流を流すバイポーラ駆動される。このため、従来の光走査装置では、ＭＥＭＳの駆動電圧の極性に基づいて、反射体を経由せずにＢＤセンサに入射した光ビームの検出信号と、反射体で反射されてＢＤセンサに入射した光ビームの検出信号とが識別される。
【先行技術文献】
【特許文献】
【０００６】
【特許文献１】特開２０１０−１２８１３１号公報
【発明の概要】
【発明が解決しようとする課題】
【０００７】
しかし、光走査装置に静電形のＭＥＭＳを用いた場合、ＭＥＭＳは、電極に対して常に一定方向の電圧を加えるユニポーラ駆動され、ＭＥＭＳの駆動電圧の極性が一定であるため、従来の光走査装置における識別方法では、反射体を経由せずにＢＤセンサに入射した光ビームの検出信号と、反射体で反射されてＢＤセンサに入射した光ビームの検出信号とを識別することができなかった。このため、従来の光走査装置では、静電形のＭＥＭＳを用いることができず、さらなる小型化、コストダウン、消費電力・発熱・騒音の低減化、並びに１枚目の画像形成の所要時間の短縮化の妨げになっていた。
【０００８】
この発明の目的は、電磁形及び静電形のいずれのＭＥＭＳを用いた場合でも、反射体を経由せずにＢＤセンサに入射した光ビームの検出信号と、反射体で反射されてＢＤセンサに入射した光ビームの検出信号とを識別できる光走査装置及びこれを備える画像形成装置を提供することにある。
【課題を解決するための手段】
【０００９】
この発明の光走査装置は、被走査体の潜像形成領域を含む走査範囲を光ビームで往復走査する。光走査装置は、光源、走査体、ＢＤセンサ、反射体、及び制御部を備える。光源は、光ビームを発する。走査体は、光源から発せられた光ビームを反射して走査範囲を走査するように走査運動する。ＢＤセンサは、走査範囲の第１端部に配置され、光ビームを検出したときに検出信号を出力する。反射体は、走査範囲の第２端部に配置され、受けた光ビームをＢＤセンサへ向けて反射する。制御部は、検出信号に基づいて走査運動を制御する。反射体からＢＤセンサへ向かう第１走査方向にＢＤセンサが走査されるタイミングからＢＤセンサから反射体へ向かう第２走査方向にＢＤセンサが走査されるタイミングまでの第１時間間隔と、第２方向に反射体が走査されるタイミングから第１方向に反射体が走査されるタイミングまでの第２時間間隔とが相違するように構成される。
【００１０】
この構成では、検出信号が入力した時間間隔が第１時間間隔に等しくなれば、その時間間隔が、第１走査方向にＢＤセンサが走査されたタイミングから第２走査方向にＢＤセンサが走査されたタイミングまでの時間間隔であると識別できる。また、検出信号が入力した時間間隔が第２時間間隔に等しくなれば、その時間間隔が、第２走査方向に反射体が走査されたタイミングから第１走査方向に反射体が走査されたタイミングまでの時間間隔であると識別できる。これによって、第１走査方向にＢＤセンサが走査された後から第２走査方向にＢＤセンサが走査される前までの間、第２走査方向にＢＤセンサが走査された後から第２走査方向に反射体が走査される前までの間、第２走査方向に反射体が走査された後から第１走査方向に反射体が走査される前までの間、及び第１走査方向に反射体が走査された後から第１走査方向にＢＤセンサが走査される前までの間のうち、いずれの走査位置にあるかということ、及び走査方向を、識別できる。
【００１１】
上述の構成において、ＢＤセンサと反射体とは、走査範囲の中心に対して非対称に配置されるように構成することができる。
【００１２】
この構成では、第１時間間隔と第２時間間隔とが相違するように容易に構成することができる。
【００１３】
また、制御部は、光源が光ビームを発する発光タイミングの互いに異なる複数の発光パターンによる発光を順に光源に行わせ、検出信号が所定回数入力した発光パターンに、光源の発光タイミングを決定するように構成することができる。
【００１４】
この構成では、第１走査方向にＢＤセンサが走査されるタイミングから第２走査方向にＢＤセンサが走査されるタイミングまでの第１時間間隔、第２走査方向にＢＤセンサが走査されるタイミングから第２走査方向に反射体が走査されるタイミングまでの第３時間間隔、第２走査方向に反射体が走査されるタイミングから第１走査方向に反射体が走査されるタイミングまでの第２時間間隔、及び第１走査方向に反射体が走査されるタイミングから第１走査方向にＢＤセンサが走査されるタイミングまでの第４時間間隔で発光を繰り返す発光パターンであって、第１〜第４時間間隔のうち互いに異なる時間間隔から開始する複数の発光パターンを制御部は保持する。これらの発光パターンのそれぞれによる発光を、強制発光時の検出信号が入力したタイミングに続けて行う。これによって、それぞれの発光パターンにおける発光タイミングと、実際の走査においてＢＤセンサ及び反射体を走査するタイミングとが合致した場合は、所定回数の検出信号が入力される。このため、検出信号が所定回数入力した発光パターンにおける発光タイミングと、実際の走査においてＢＤセンサ及び反射体を走査するタイミングとが合致していると判断できる。
【００１５】
この発明の画像形成装置は、被走査体と、上述のいずれかの構成の光走査装置とを備える。
【００１６】
この構成では、検出信号が入力した時間間隔が第１時間間隔に等しくなれば、その時間間隔が、第１走査方向にＢＤセンサが走査されたタイミングから第２走査方向にＢＤセンサが走査されたタイミングまでの時間間隔であると識別できる。また、検出信号が入力した時間間隔が第２時間間隔に等しくなれば、その時間間隔が、第２走査方向に反射体が走査されたタイミングから第１走査方向に反射体が走査されたタイミングまでの時間間隔であると識別できる。これによって、第１走査方向にＢＤセンサが走査された後から第２走査方向にＢＤセンサが走査される前までの間、第２走査方向にＢＤセンサが走査された後から第２走査方向に反射体が走査される前までの間、第２走査方向に反射体が走査された後から第１走査方向に反射体が走査される前までの間、及び第１走査方向に反射体が走査された後から第１走査方向にＢＤセンサが走査される前までの間のうち、いずれの走査位置にあるかということ、及び走査方向を、識別できる。
【発明の効果】
【００１７】
この発明によれば、電磁形及び静電形のいずれのＭＥＭＳを用いた場合でも、反射体を経由せずにＢＤセンサに入射した光ビームの検出信号と、反射体で反射されてＢＤセンサに入射した光ビームの検出信号とを識別することができる。
【図面の簡単な説明】
【００１８】
【図１】この発明の第１実施形態に係る光走査装置を備える画像形成装置の概略の構成を示す図である。
【図２】レーザ光による走査位置と検出信号が入力する時間間隔との関係を示す図である。
【図３】レーザ光の複数の発光パターンを示す図である。
【図４】制御部の処理の一例を示すフローチャートである。
【発明を実施するための形態】
【００１９】
図１に示すように、第１実施形態に係る光走査装置１０を備える画像形成装置１は、光走査装置１０の他に、感光体ドラム２、並びに、図示しない、帯電装置、現像装置、転写装置、及び定着装置を備えている。感光体ドラム２は、光走査装置１０による被走査体の一例である。
【００２０】
帯電装置は、感光体ドラム２の周面を所定電位に帯電させる。感光体ドラム２は、所定方向に回転する。光走査装置１０は、感光体ドラム２の周面をレーザ光で露光することで、感光体ドラム２の周面の潜像形成領域Ｅ１に静電潜像を形成する。現像装置は、感光体ドラム２の周面にトナーを供給することで、静電潜像をトナー像に顕像化する。転写装置は、感光体ドラム２の周面上のトナー像を用紙へ転写する。定着装置は、トナー像を用紙に固着させる。レーザ光は、光ビームの一例である。
【００２１】
光走査装置１０は、ＭＥＭＳミラー１１、光源１２、ＢＤセンサ１３、反射ミラー１４、ＭＥＭＳ駆動部１６、及び制御部１７を備えている。
【００２２】
光源１２は、ＭＥＭＳミラー１１へ向けてレーザ光を発する。例えば、光源１２として、レーザダイオードが用いられる。
【００２３】
ＭＥＭＳミラー１１は、感光体ドラム２に対して離接する方向に振動する走査運動をしつつ、光源１２から発せられたレーザ光を感光体ドラム２へ向けて反射する。
【００２４】
ＭＥＭＳミラー１１が走査運動することで、光源１２から発せられたレーザ光の反射方向が変更され、光源１２から発せられたレーザ光によって、感光体ドラム２の潜像形成領域Ｅ１を含む走査範囲Ｅ２が往復走査される。ＭＥＭＳミラー１１は、この発明の走査体である。
【００２５】
ＢＤセンサ１３及び反射ミラー１４は、感光体ドラム２の潜像形成領域Ｅ１の外側であって走査範囲Ｅ２内に配置されている。ＢＤセンサ１３は、走査範囲Ｅ２の第１端部に配置され、反射ミラー１４は、走査範囲Ｅ２の第２端部に配置されている。反射ミラー１４は、この発明の反射体の一例である。
【００２６】
ＢＤセンサ１３は、レーザ光を検出したときに、検出信号を出力する。
【００２７】
反射ミラー１４からＢＤセンサ１３へ向かう第１走査方向を、Ａ方向とする。ＢＤセンサ１３から反射ミラー１４へ向かう第２走査方向を、Ｂ方向とする。
【００２８】
ＢＤセンサ１３は、Ａ方向の走査のエンド位置、及びＢ方向のスタート位置において走査される。反射ミラー１４は、Ｂ方向の走査のエンド位置、及びＡ方向のスタート位置において走査される。
【００２９】
ＭＥＭＳ駆動部１６は、ＭＥＭＳミラー１１の走査運動を制御する。制御部１７は、ＭＥＭＳ駆動部１６を含む光走査装置１０の各部機器を統括的に制御する。
【００３０】
ＭＥＭＳ駆動部１６は、静電形であり、ユニポーラ駆動され、ＭＥＭＳミラー１１を振動させる駆動電圧の極性が一定である。このため、ＭＥＭＳミラー１１を振動させる駆動電圧の極性からは、反射ミラー１４を経由せずにＢＤセンサ１３に入射したレーザ光の検出信号と、反射ミラー１４で反射されてＢＤセンサ１３に入射したレーザ光の検出信号とを識別することができない。
【００３１】
そこで、静電形においても、反射ミラー１４を経由せずにＢＤセンサ１３に入射したレーザ光の検出信号と、反射ミラー１４で反射されてＢＤセンサ１３に入射したレーザ光の検出信号とを識別できる構成について、説明する。
【００３２】
光走査装置１０では、ＢＤセンサ１３と反射ミラー１４とは、走査範囲Ｅ２の中心Ｃに対して非対称に配置されている。
【００３３】
図２に示すように、光源１２の定常ＡＰＣ（Automatic Power Control）では、反射ミラー１４を経由せずにＢＤセンサ１３に入射したレーザ光は、ＢＤセンサ１３によって検出され、検出信号ＢＤ１，ＢＤ２，ＢＤ３，ＢＤ４……が出力される。反射ミラー１４で反射されてＢＤセンサ１３に入射したレーザ光も、ＢＤセンサ１３によって検出され、検出信号ＭＲ１，ＭＲ２……が出力される。
【００３４】
ここで、Ａ方向にＢＤセンサ１３が走査されるタイミングからＢ方向にＢＤセンサ１３が走査されるタイミングまでの時間間隔を第１時間間隔Ｔ１とする。Ｂ方向にＢＤセンサ１３が走査されるタイミングからＢ方向に反射ミラー１４が走査されるタイミングまでの時間間隔を第３時間間隔Ｔ３とする。Ｂ方向に反射ミラー１４が走査されるタイミングからＡ方向に反射ミラー１４が走査されるタイミングまでの時間間隔を第２時間間隔Ｔ２とする。Ａ方向に反射ミラー１４が走査されるタイミングからＡ方向にＢＤセンサ１３が走査されるタイミングまでの時間間隔を第４時間間隔Ｔ４とする。
【００３５】
光走査装置１０は、少なくとも第１時間間隔Ｔ１と第２時間間隔Ｔ２とが相違するように構成されている。上述のように、光走査装置１０では、ＢＤセンサ１３と反射ミラー１４とは走査範囲Ｅ２の中心Ｃに対して非対称に配置されており、これによって、第１時間間隔Ｔ１と第２時間間隔Ｔ２とが相違するように構成されている。
【００３６】
図３に示すように、制御部１７は、継続的に光源１２を発光させる強制発光などによる検出信号の入力時即ちイニシャル検知時をそれぞれ起点にして、光源１２がレーザ光を発する発光タイミングの互いに異なる複数の発光パターンによる発光を順に光源１２に行わせる。
【００３７】
複数の発光パターンは、第１時間間隔Ｔ１、第３時間間隔Ｔ３、第２時間間隔Ｔ２、及び第４時間間隔Ｔ４で所定の短時間の発光を繰り返す発光パターンであって、第１〜第４時間間隔Ｔ１〜Ｔ４のうち互いに異なる時間間隔から開始する発光パターンである。
【００３８】
例えば、図３（Ａ)に示すように、第１発光パターンは、第４時間間隔Ｔ４から開始して第１時間間隔Ｔ１、第３時間間隔Ｔ３、第２時間間隔Ｔ２で光源１２を発光させる発光パターンである。図３（Ｂ)に示すように、第２発光パターンは、第１時間間隔Ｔ１から開始して第３時間間隔Ｔ３、第２時間間隔Ｔ２、第４時間間隔Ｔ４で光源１２を発光させる発光パターンである。図３（Ｃ)に示すように、第３発光パターンは、第３時間間隔Ｔ３から開始して第２時間間隔Ｔ２、第４時間間隔Ｔ４、第１時間間隔Ｔ１で光源１２を発光させる発光パターンである。図３（Ｄ)に示すように、第４発光パターンは、第２時間間隔Ｔ２から開始して第４時間間隔Ｔ４、第１時間間隔Ｔ１、第３時間間隔Ｔ３で光源１２を発光させる発光パターンである。
【００３９】
イニシャル検知の検出信号がＡ方向に反射ミラー１４を走査したことによるものであれば、イニシャル検知時を起点として第１発光パターンで光源１２を発光することで、Ａ方向及びＢ方向におけるＢＤセンサ１３の走査時、Ｂ方向及びＡ方向における反射ミラー１４の走査時の全てのタイミングで検出信号ＢＤ１，ＢＤ２，ＭＲ１，ＭＲ２が入力するはずである。即ち、ＭＥＭＳミラー１１の走査運動の１周期に検出信号が４回入力するはずである。一方、イニシャル検知時を起点として第２〜第４発光パターンで光源１２を発光しても、ＭＥＭＳミラー１１の走査運動の１周期の検出信号の入力回数は、４回に達しない。このことから、光走査装置１０では、次のようにして、定常ＡＰＣへ移行する。
【００４０】
図４に示すように、制御部１７は、代数Ｎに１を定義し（Ｓ１）、光源１２を強制発光し（Ｓ２）、これによって検出信号が入力すると（Ｓ３）、強制発光による検出信号の入力時即ちイニシャル検知時を起点として第１発光パターンで光源１２を発光する（Ｓ４）。なお、代数Ｎは整数である。
【００４１】
制御部１７は、第１発光パターンで光源１２を発光するモニタリング時間を走査運動の周期で除算した値に基づいて得られる所定回数、検出信号が入力した場合（Ｓ５）、イニシャル検知によって入力した検出信号がＡ方向に反射ミラー１４を走査したことによるものであると識別でき、このまま定常ＡＰＣへ移行する（Ｓ６）。
【００４２】
制御部１７は、第１発光パターンで光源１２を発光した場合のモニタリング時間中の検出信号の入力回数が所定回数に達しなかった場合、代数ＮにＮ＋１を定義し（Ｓ７）、代数Ｎが４以下であれば（Ｓ８）、Ｓ２の処理へ戻る。代数Ｎが５以上であれば、ＢＤセンサ１３がレーザ光を検出できなかった検出エラーとして所定のエラー処理を行う（Ｓ９）。
【００４３】
制御部１７は、第１発光パターンから第２発光パターンへの切り換えのように、異なる発光パターンへ切り換える際は、第１発光パターンのモニタリング時のイニシャル検知時から、ＭＥＭＳミラー１１の走査運動の周期の整数倍の時間後に検出信号が入力するように、その直前に光源１２を発光してモニタリングを行う。即ち、異なる発光パターンのイニシャル検知同士の時間間隔は、走査運動の周期の整数倍にする。
【００４４】
制御部１７は、第１発光パターンのイニシャル検知時から走査運動の周期の整数倍の時間後に再びイニシャル検知し、このイニシャル検知時を起点として、第２発光パターンで光源１２を発光し、モニタリング時間中の検出信号の入力回数を取得する。
【００４５】
制御部１７は、第１〜第４発光パターンで順にモニタリングしていき、モニタリング時間中の検出信号の入力回数が所定回数に達した場合は、そのまま定常ＡＰＣへ移行する。
【００４６】
このように、モニタリング時間中の検出信号の入力回数が所定回数に達したか否かによって、走査位置及び走査方向を識別でき、電磁形及び静電形のいずれのＭＥＭＳを用いた場合でも、反射ミラー１４を経由せずにＢＤセンサ１３に入射したレーザ光の検出信号ＢＤ１，ＢＤ２，ＢＤ３，ＢＤ４と、反射ミラー１４で反射されてＢＤセンサ１３に入射したレーザ光の検出信号ＭＲ１，ＭＲ２とを識別することができる。
【００４７】
第２実施形態に係る光走査装置は、第１〜第４の全ての発光パターンによるモニタリングを順に実行した後で、検出信号の入力回数が所定回数に達した発光パターンを選択し、イニシャル検知時を起点として、選択した発光パターンで光源１２を発光することで、定常ＡＰＣへ移行するように構成されている。
【００４８】
全ての発光パターンによるモニタリングを実行することで、全ての発光パターンにおける検出信号の入力回数を確認することができ、迷光やノイズによる誤判定のリスクを低減させることができる。
【００４９】
第３実施形態に係る光走査装置では、第１〜第４発光パターンによるモニタリングを行う構成に代えて、強制発光によって検出信号が確実に入力するようにして、検出信号が入力した時間間隔が第１時間間隔Ｔ１に等しい場合、その時間間隔が、Ａ方向にＢＤセンサ１３が走査されたタイミングからＢ方向にＢＤセンサ１３が走査されたタイミングまでの時間間隔であると識別する。また、検出信号が入力した時間間隔が第２時間間隔に等しい場合、その時間間隔が、Ｂ方向に反射ミラー１４が走査されたタイミングからＡ方向に反射ミラー１４が走査されたタイミングまでの時間間隔であると識別する。
【００５０】
強制発光によって、Ａ方向及びＢ方向におけるＢＤセンサ１３の走査時、Ｂ方向及びＡ方向における反射ミラー１４の走査時の全てのタイミングで、検出信号ＢＤ１，ＢＤ２，ＭＲ１，ＭＲ２が確実に入力するようになる。このため、定常ＡＰＣへ短時間で移行することができる。
【００５１】
上述の実施形態のそれぞれの技術的特徴を互いに組み合わせることで、新たな実施形態を構成することが考えられる。
【００５２】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００５３】
１…画像形成装置
２…感光体ドラム（被走査体）
１０…光走査装置
１１…ＭＥＭＳミラー（走査体）
１２…光源
１３…ＢＤセンサ
１４…反射ミラー（反射体）
１６…ＭＥＭＳ駆動部
１７…制御部
【図１】
0006470100.tif 000002
【図２】
0006470100.tif 000003
【図３】
0006470100.tif 000004
【図４】
0006470100.tif 000005